(57)【要約】【課題】表面材の有無や仕様にかかわらず排水トラップを共通化でき、排水口周りの表面材の端部の処理を容易化しつつ美観を向上させる浴室用洗い場床を提供する。【解決手段】基材１１と、前記基材の浴室表面側に積層された表面材１２と、を備え、前記基材は、洗い場床部１１ｆと、前記洗い場床部よりも低い位置に凹状に形成され、排水トラップ１６が取り付けられる開口が形成された排水口部１１ｄと、を有し、前記表面材の前記排水口部側の端部１２ｂは、前記排水トラップが取り付けられた状態において、排水口部の前記排水トラップの構成部品の１つである締付フランジ１６ｂとは干渉しない位置に配置されており、且つ、表面材の排水口部側の端部と、排水トラップの上端縁部と、の間において、基材はコーキング剤によって覆われていることを特徴とする浴室用洗い場床が提供される。【選択図】図１
2010229790.tif 000002
【特許請求の範囲】
【請求項１】
基材と、
前記基材の浴室表面側に積層された表面材と、
を備え、
前記基材は、洗い場床部と、前記洗い場床部よりも低い位置に凹状に形成され、排水トラップが取り付けられる開口が形成された排水口部と、を有し、
前記表面材の前記排水口部側の端部は、前記排水トラップが取り付けられた状態において、前記排水口部内の前記排水トラップの構成部品の１つである締付フランジとは干渉しない位置に配置されており、
且つ、前記表面材の前記排水口部側の端部と、前記排水トラップの上端縁部と、の間において、前記基材はコーキング剤によって覆われていることを特徴とする浴室用洗い場床。
【請求項２】
前記表面材は、前記基材の前記洗い場床部及び前記排水口部の形状と沿う形状に形成されており、前記排水トラップを取り付けた状態において、前記基材の前記排水口部における前記端部の全てが、前記排水口部内の前記締付フランジとは干渉しない位置に配置されており、
且つ、前記表面材の前記排水口部側の端部と、前記排水トラップの上端縁部と、の間において、前記基材はコーキング剤によって覆われていることを特徴とする請求項１記載の浴室用洗い場床。
【請求項３】
基材と、
前記基材の浴室表面側に積層された表面材と、
を備え、
前記基材は、洗い場床部と、前記洗い場床部よりも低い位置に凹状に形成され、排水トラップが取り付けられる開口が形成された排水口部と、を有し、
前記表面材の前記排水口部側の端部は、前記排水トラップが取り付けられた状態において、前記排水トラップの構成部品の１つである締付フランジと干渉しない位置に配置されつつ、前記排水トラップの構成部品の一つである封水筒によって覆い隠されることを特徴とする浴室用洗い場床。
【請求項４】
前記排水トラップが取り付けられた状態において、前記封水筒の外周縁が、前記締め付けフランジよりも上方に位置する前記排水口部の立ち面と密接するように取り付けられ、
前記表面材の前記排水口部の側の端部は、前記封水筒によって覆い隠されることを特徴とする請求項３記載の浴室用洗い場床。
【請求項５】
前記表面材は、前記基材の前記洗い場床部及び前記排水口部の形状に沿う形状に形成されており、前記排水トラップが取り付けられた状態において、前記基材の前記排水口部における前記端部の全てが、前記排水口部内の前記締付フランジとは干渉しない位置に配置されつつ、前記排水トラップの構成部品の一つである封水筒によって覆い隠されることを特徴とする請求項３または４に記載の浴室用洗い場床。
【発明の詳細な説明】
【技術分野】
【０００１】
本発明の態様は、一般的に、浴室用洗い場床に関する。
【背景技術】
【０００２】
例えば、浴室ユニットに用いられる洗い場床として、例えば基材と基材の上に設けられる表面材との積層構造を有するものがある。例えば、親水性や撥油性など、基材には無い特性を持たせた表面材を基材の上に設けることで、洗い場床の表面にこのような特性を付与できる。
【０００３】
また、例えば特許文献１（特許第４１７４７４０号公報）に記載されているように、基材と表面材（表面層）との間にクッション層を設け、クッション層で不足する基本性能（耐摩耗性、耐薬品性、耐傷性、耐候性、防水性など）を表面材に持たせることができ、基本性能を備えつつクッション性に富む洗い場床を実現できる。
【０００４】
この構成において、排水口周りに位置する表面材の端部は、洗い場側に露出している。このため、外観を損ねないように表面材の端部を高精度にコーキング処理する必要がある。また、排水口周りに位置する表面材の端部は、使用者が触れる箇所になるため、耐摩耗性などの耐久性にも優れた高価なコーキング剤が必要となり、改善の余地がある。
【０００５】
また、洗い場床を積層構造とすることによって、例えば、リサイクルした基材の上に新しい表面材を貼り合わせて新品同様にすることができ、省資源になる。例えば特許文献２（特開２００６−６３５５４号公報）には、リフォーム用途のために、洗い場の床面に貼り付けるためのシートが提案されている。
【０００６】
この構成において、シートの端部の一部は、排水口内に配置させられているが、端部の他の部分は、洗い場側に露出しており、上記と同様の課題がある。そして、排水口の内部においては、基材と表面材との両方が露出し、目立つため、意匠性に劣る。
【０００７】
このように積層構造の洗い場床において、表面材の排水口周りの端部の処理を容易化し、そして美観を向上することが望まれている。
【０００８】
さらに、積層構造の洗い場床において、洗い場床に取り付けられる排水トラップの部品である締め付けフランジと、洗い場床の表面材と、が接触し、互いに干渉する構成である場合には、表面材の有無や表面材の厚さなどの仕様によって、対応する締め付けフランジを変える必要がある。つまり、表面材を積層しない基材単層の洗い場床として使用する場合には、基材単層用の排水トラップを用意する必要が生じる。このため、表面材の有無や仕様によって排水トラップを共通化できないという問題が発生する。
【先行技術文献】
【特許文献】
【０００９】
【特許文献１】特許第４１７４７４０号公報
【特許文献２】特開２００６−６３５５４号公報
【発明の概要】
【発明が解決しようとする課題】
【００１０】
本発明の態様は、表面材の有無や仕様にかかわらず排水トラップを共通化でき、排水口周りの表面材の端部の処理を容易化しつつ美観を向上させる浴室用洗い場床を提供する。
【課題を解決するための手段】
【００１１】
本発明の一態様によれば、基材と、前記基材の浴室表面側に積層された表面材と、を備え、前記基材は、洗い場床部と、前記洗い場床部よりも低い位置に凹状に形成され、排水トラップが取り付けられる開口が形成された排水口部と、を有し、前記表面材の前記排水口部側の端部は、前記排水トラップが取り付けられた状態において、前記排水口部内の前記排水トラップの構成部品の１つである締付フランジとは干渉しない位置に配置されており、且つ、前記表面材の前記排水口部側の端部と、前記排水トラップの上端縁部と、の間において、前記基材はコーキング剤によって覆われていることを特徴とする浴室用洗い場床が提供される。
【００１２】
本発明の別の一態様によれば、基材と、前記基材の浴室表面側に積層された表面材と、を備え、前記基材は、洗い場床部と、前記洗い場床部よりも低い位置に凹状に形成され、排水トラップが取り付けられる開口が形成された排水口部と、を有し、前記表面材の前記排水口部側の端部は、前記排水トラップが取り付けられた状態において、前記排水トラップの構成部品の１つである締付フランジと干渉しない位置に配置されつつ、前記排水トラップの構成部品の一つである封水筒によって覆い隠されることを特徴とする浴室用洗い場床が提供される。
【発明の効果】
【００１３】
本発明の態様によれば、表面材の有無や仕様にかかわらず排水トラップを共通化でき、排水口周りの表面材の端部の処理を容易化しつつ美観を向上させる浴室用洗い場床が提供される。
【図面の簡単な説明】
【００１４】
【図１】第１の実施形態に係る浴室用洗い場床の要部を例示する模式的断面図である。
【図２】第１及び第２の実施形態に係る浴室用洗い場床の概要を例示する模式的斜視図である。
【図３】第１の実施形態に係る変形例の浴室用洗い場床を例示する模式的断面図である。
【図４】第２の実施形態に係る浴室用洗い場床を例示する模式的断面図である。
【発明を実施するための形態】
【００１５】
第１の発明は、基材と、前記基材の浴室表面側に積層された表面材と、を備え、前記基材は、洗い場床部と、前記洗い場床部よりも低い位置に凹状に形成され、排水トラップが取り付けられる開口が形成された排水口部と、を有し、前記表面材の前記排水口部側の端部は、前記排水トラップが取り付けられた状態において、前記排水口部内の前記排水トラップの構成部品の１つである締付フランジとは干渉しない位置に配置されており、且つ、前記表面材の前記排水口部側の端部と、前記排水トラップの上端縁部と、の間において、前記基材はコーキング剤によって覆われていることを特徴とする浴室用洗い場床である。
この浴室用洗い場床によれば、表面材端部が洗い場床部に露出しないため、コーキング処理を容易化できる。そして、表面材と基材との継ぎ目の部分の基材がコーキング剤によって覆われるので、美観が向上する。そして、表面材の排水口部側の端部は、締め付けフランジと干渉しないため、表面材の有無や仕様にかかわらず排水トラップを共有化できる。
【００１６】
また、第２の発明は、第１の発明において、前記表面材は、前記基材の前記洗い場床部及び前記排水口部の形状と沿う形状に形成されており、前記排水トラップを取り付けた状態において、前記基材の前記排水口部における前記端部の全てが、前記排水口部内の前記締付フランジとは干渉しない位置に配置されており、且つ、前記表面材の前記排水口部側の端部と、前記排水トラップの上端縁部と、の間において、前記基材はコーキング剤によって覆われていることを特徴とする浴室用洗い場床である。  
この浴室用洗い場床によれば、排水口部において、表面材と基材の排水口部の形状が合わせられ、基材と表面材とを積層する工程において、表面材の積層位置を位置決めすることが容易になる。
【００１７】
また、第３の発明は、基材と、前記基材の浴室表面側に積層された表面材と、を備え、前記基材は、洗い場床部と、前記洗い場床部よりも低い位置に凹状に形成され、排水トラップが取り付けられる開口が形成された排水口部と、を有し、前記表面材の前記排水口部側の端部は、前記排水トラップが取り付けられた状態において、前記排水トラップの構成部品の１つである締付フランジと干渉しない位置に配置されつつ、前記排水トラップの構成部品の一つである封水筒によって覆い隠されることを特徴とする浴室用洗い場床である。  
この浴室用洗い場床によれば、端部が排水トラップに覆い隠されるので、表面材の端部処理が容易化でき美観を向上させると供に、端部が締付フランジと干渉しないので、表面材の仕様にかかわらず排水トラップを共通化できる。
【００１８】
また、第４の発明は、第３の発明において、前記排水トラップが取り付けられた状態において、前記封水筒の外周縁が、前記締め付けフランジよりも上方に位置する前記排水口部の立ち面と密接するように取り付けられ、前記表面材の前記排水口部の側の端部は、前記封水筒によって覆い隠されることを特徴とする浴室用洗い場床である。  
この浴室用洗い場床によれば、端部は、封水筒によって覆い隠される。
【００１９】
また、第５の発明は、第３の発明または第４の発明において、前記表面材は、前記基材の前記洗い場床部及び前記排水口部の形状に沿う形状に形成されており、前記排水トラップが取り付けられた状態において、前記基材の前記排水口部における前記端部の全てが、前記排水口部内の前記締付フランジとは干渉しない位置に配置されつつ、前記排水トラップの構成部品の一つである封水筒によって覆い隠されることを特徴とする浴室用洗い場床である。  
この浴室用洗い場床によれば、排水口部において、表面材と基材の排水口部の形状が合わせられ、基材と表面材とを積層する工程において、表面材の積層位置を位置決めすることが容易になる。
【００２０】
以下、本発明の実施の形態について図面を参照しつつ説明する。なお、各図面中、同様の構成要素には同一の符号を付して詳細な説明は適宜省略する。  
図１〜図４は、本発明の実施形態に係る浴室用洗い場床を例示する模式図である。  
すなわち、図１は、第１の実施形態に係る浴室用洗い場床の要部を例示する模式的断面図である。図２は、第１及び第２の実施形態に係る浴室用洗い場床の概要を例示する模式的斜視図である。図３は、第１の実施形態に係る変形例の浴室用洗い場床を例示する模式的断面図である。図４は、第２の実施形態に係る浴室用洗い場床を例示する模式的断面図である。
【００２１】
（第１の実施の形態）
まず、図２によって、本発明の第１の実施形態の浴室用洗い場床の概要を説明する。  
図２に表したように、浴室用洗い場床１０は、基材１１と表面材１２とを備える。
【００２２】
基材１１は、洗い場床部１１ｆと排水口部１１ｄとを有する。排水口部１１ｄは、洗い場床部１１ｆよりも低い位置に凹状に形成され、底面に排水トラップが取り付けられる開口が形成された部分である。
【００２３】
表面材１２は、基材１１の浴室表面側に積層される。表面材１２は、床部１２ｆと垂下部１２ｄとを有する。床部１２ｆは、基材１１の洗い場床部１１ｆに積層される部分である。垂下部１２ｄは、床部１２ｆから下方に延在する部分であり、基材１１の排水口部１１ｄの内側において基材１１に積層される部分である。
【００２４】
このように、洗い場床１０は、基材１１と表面材１２との少なくとも２層以上の積層構造を有する。例えば、洗い場床１０は、基材１１と表面材１２との間に設けられたクッション層をさらに有しても良く、２層以上の構成を有していれば良い。
【００２５】
基材１１は、浴室外に湯水を漏出させない防水性、及び浴室壁パネル、天井パネル、風呂椅子、洗面器などの静荷重、使用者の動荷重を受けても撓んだり破損しない強度を有する硬質材料から形成される。基材１１は、例えば、ＦＲＰ（Fiber Reinforced Plastic）等の熱硬化性樹脂、あるいはポリプロピレン、ポリエチレン等の熱可塑性樹脂に補強を施したものから形成される。
【００２６】
表面材１２は、耐水性、耐薬品性、耐摩耗性、耐衝撃性など、洗い場床表面に要求される基本性能（耐久性）を満足する材料から形成されている。表面材１２には、例えば、ＦＲＰ、ＰＶＣ（塩化ビニル）、ポリプロピレン、ポリエチレン、ウレタン樹脂、ポリエステル樹脂、アクリル樹脂、スチレン・ポリエステル・オレフィン・アクリル系の各種エラストマー、ＥＶＡ、ＥＰＤＭ、シリコンゴムなどのゴム（硬質）系、あるいはこれらを十分な耐久性が期待できる程度の硬さに調整したもの、あるいはこれらをベースに充填材や強化材を加えた複合材料などが用いられる。但し、これらの材料は一例であって、その他、表面材１２の材料としては、浴室の一般的な使用に際し十分な耐久性を有するべく強靱な材料であれば良く、前述したものに限られない。なお、表面材１２には、例えば親水性や撥油性など、基材１１には無い特性を持たせることができる。
【００２７】
なお、基材１１と表面材１２との間にクッション層が設けられる場合には、クッション層には、弾性変形可能であり、例えばウレタン等の発泡体等を用いることができる。
【００２８】
以下では、洗い場床１０が基材１１と表面材１２との２層構造である場合として説明する。
【００２９】
なお、表面材１２は、例えば接着剤によって基材１１に貼り合わせられている。
【００３０】
図１（ａ）及び（ｂ）は、浴室用洗い場床１０に排水トラップが取り付けられた状態を例示する模式的断面図であり、図１（ｂ）は、図１（ａ）のＢ部の拡大図である。図１（ｃ）は、浴室用洗い場床１０に排水トラップが取り付けられる前の状態を例示している。
【００３１】
図１（ａ）〜（ｃ）に表したように、表面材１２の排水口部１１ｄの側の端部１２ｂは、排水口部１１ｄに取り付けられる排水トラップ１６が排水口部１１ｄに取り付けられた状態において、排水トラップ１６の構成部品の１つである締付フランジ１６ｂと干渉しない位置であって、排水トラップ１６の上端縁部１６ｕと離間した上端縁部１６ｕの直上の位置に配置される。
【００３２】
すなわち、例えば、図１（ｂ）に例示したように、排水口部１１ｄの下端１１ｈが、環状のシールリング１６ｃに挟み込まれ、下端１１ｈは、その状態で、排水トラップ１６の締付フランジ１６ｂによって締め付けられる。そして、締付フランジ１６ｂの上から、排水トラップ１６の封水筒１６ａが挿入される。
【００３３】
そして、排水トラップ１６の上端縁部１６ｕの上方であって、上端縁部１６ｕと離間しつつ、上端縁部１６ｕの直上の位置に、表面材１２の排水口部１１ｄの側の端部１２ｂが配置される。
【００３４】
すなわち、表面材１２の端部１２ｂは、排水トラップ１６の上端縁部１６ｕと干渉しない程度の近傍位置に配置される。
【００３５】
表面材１２の端部１２ｂが、排水トラップ１６の近傍に配置されることで、端部１２ｂは目立たない。これにより、端部１２ｂの位置精度などのばらつきの許容が広がり、表面材１２の端部１２ｂの端部処理が容易化できる。例えば、端部処理が粗くても良く、または、場合によっては端部の処理を省略できる。  
また、この構成により、端部１２ｂが目立たないことから、美観が向上できる。
【００３６】
そして、表面材１２の端部１２ｂが、排水トラップ１６の上端縁部１６ｕと干渉せず、端部１２ｂと上端縁部１６ｕとの間に間隔があけられるので、例えば、浴室洗い場床として、基材１１に表面材１２が積層されない単層床を用いた場合と、基材１１に表面材１２が積層される積層床を用いた場合と、で、上端縁部１６ｕと端部１２ｂとの間の距離が変化しても排水トラップ１６は正しい設計位置に設置できる。すなわち、この構成により、表面材の仕様にかかわらず排水トラップを共通化できる。
【００３７】
さらに、本具体例においては、表面材１２の排水口部１１ｄの側の端部１２ｂと、排水トラップ１６の上端縁部１６ｕと、間の基材１１を覆うようにコーキング剤１７が設けられる。
【００３８】
これにより、表面材端部が洗い場床部に露出しないため、コーキング処理を容易化できる。そして、表面材１２と基材１１との継ぎ目の部分の基材１１がコーキング剤１７によって覆われるので、美観が向上する。そして、表面材１２の排水口部１１ｄ側の端部１２ｂは、締め付けフランジ１６ｂと干渉しないため、表面材の有無や仕様にかかわらず排水トラップ１６を共有化できる。
【００３９】
さらに、基材１１がコーキング剤によって覆われ、露出しないので、基材１１をコストダウンすることもできる。  
例えば、表面材１２の端部１２ｂと排水トラップ１６の上端縁部１６ｕとの間の幅が広く、基材１１が露出している場合には、その部分において、表面材１２の下の基材１１が使用者に目立って見える。このため、目的とする色や光沢などの外観特性を基材１１に持たせて意匠性を高めるために、基材１１となる材料に顔料が混合され、また、基材１１に各種の表面処理等が施されることがある。このとき、本実施形態に係る構成を採用し、さらに、コーキング剤１７を塗布することによって、例えば上記の顔料の混合や各種の表面処理が省略でき、基材１１をコストダウンすることもできる。
【００４０】
なお、表面材１２の端部１２ｂが上端縁部１６ｕの近傍位置に配置されるので、端部１２ｂと上端縁部１６ｕとの間の間隔は狭く、表面材１２に覆われていない基材１１の幅は狭く、継ぎ目の部分は目立たない。この部分にコーキング剤１７を塗布するので、基材１１はさらに目立たない。また、このコーキング剤１７を塗布する幅が狭いので、コーキング剤１７を塗布する工程における作業性も優れる。
【００４１】
また、本具体例においては、表面材１２は、基材１１の洗い場床部１１ｆ及び排水口部１１ｄの形状と沿う形状に形成されており、浴室用洗い場床１０に排水トラップ１６を取り付けた状態において、基材１１の排水口部１１ｄにおける端部１２ｂの全てが、締付フランジ１６ｂと干渉しない位置であって、排水トラップ１６の上端縁部１６ｕと離間した、上端縁部１６ｕの直上の位置に配置される。
【００４２】
このような構成にすることで、排水口部１１ｄにおいて、表面材１２と基材１１の排水口部の形状が合わせられ、例えば、基材１１と表面材１２とを積層する工程において、表面材１２の積層位置を位置決めすることが容易になる。
【００４３】
なお、図１に例示したように、本具体例においては、基材１１の浴槽の側には、洗い場床部１１ｆから上方に突出した土手部１３が設けられている。土手部１３は、洗い場側と浴槽側とを区切る。
【００４４】
そして、表面材１２は、浴槽の側の端において床部１２ｆから上方に立ち上がった、立ち上がり部１２ｓを有している。この立ち上がり部１２ｓは、表面材１２と基材１１とが積層されたときに、基材１１の土手部１３に沿うように形成されている。これにより、基材１１と表面材１２とを積層する工程において、表面材１２の基材１１に対する位置決め精度をさらに向上させることができる。
【００４５】
図３に表したように、実施形態に係る別の変形例の浴室用洗い場床１０ａにおいては、基材１１の排水口部１１ｄは、漏斗状の形状を有している。この浴室用洗い場床１０ａにおいては、漏斗状の排水トラップ１６が用いられる。
【００４６】
すなわち、排水トラップ１６の封水筒１６ａの上部は、上方に拡開した漏斗状の形状を有している。そして、排水トラップ１６の締付フランジ１６ｂは、封水筒１６ａの上端よりも下方に配置されている。
【００４７】
そして、基材１１の排水口部１１ｄは、この漏斗状の封水筒１６ａの下側に延在する。この封水筒１６ａの下側の排水口部１１ｄの部分の上に、表面材１２が積層されている。そして、表面材１２において、床部１２ｆから下方に延在する垂下部１２ｄの端部１２ｂは、締付フランジ１６ｂと干渉しない位置であって、排水トラップ１６の上端縁部１６ｕと離間した、上端縁部１６ｕの直上の位置に配置される。
【００４８】
この場合も、表面材１２の端部１２ｂが目立たないので、表面材１２の端部１２ｂの端部処理が容易化できる。また、例えば、基材１１に表面材１２が積層されない単層床と、基材１１に表面材１２が積層される積層床と、で、排水トラップを共通化できる。
【００４９】
この場合も、表面材１２の排水口部１１ｄの側の端部１２ｂと、排水トラップ１６の上端縁部１６ｕと、の間の基材１１がコーキング剤１７によって覆われる。このようにコーキング剤１７が塗布されることにより、表面材１２と基材１１との継ぎ目の部分の基材１１が露出しないので意匠性に優れる。さらに、表面材１２から露出する基材１１の幅が狭いため、基材１１をコストダウンすることもできる。また、表面材１２から露出した基材１１の幅は狭く、コーキング剤１７を塗布する工程における作業性も優れる。
【００５０】
なお、上記の浴室用洗い場床１０及び１０ａにおいては、排水トラップ１６が取り付けられる取付部１１ｍが設けられる。取付部１１ｍは、排水トラップ１６が取り付けられる位置に対応して設けられた各種の凹凸や湾曲を有する。この部分において、排水トラップ１６が浴室用洗い場床に取り付けられる。すなわち、浴室用洗い場床１０に排水トラップ１６を取り付けた状態において、排水トラップ１６の構成部品の１つである締付フランジ１６ｂの上端縁部１６ｕは、この取付部１１ｍと実質的に一致する位置に配置される。従って、基材１１の排水口部１１ｄにおける端部１２ｂは、取付部１１ｍと離間した、取付部１１ｍの直上の位置に配置される。
【００５１】
これにより、表面材の仕様にかかわらず排水トラップを共通化でき、排水口周りの表面材の端部の処理を容易化しつつ美観を向上させる浴室用洗い場床を提供できる。
【００５２】
（第２の実施の形態）
図４に表したように、第２の実施形態に係る浴室用洗い場床１０ｂにおいても、基材１１の排水口部１１ｄは、漏斗状の形状を有している。この浴室用洗い場床１０ａにおいても、漏斗状の排水トラップ１６が用いられる。
【００５３】
具体的には、排水トラップ１６の封水筒１６ａの上部が、上方に拡開した漏斗状の形状を有しており、排水トラップ１６の締付フランジ１６ｂは、封水筒１６ａの上端よりも下方に配置されている。
【００５４】
そして、基材１１の排水口部１１ｄは、この漏斗状の封水筒１６ａの下側に延在する。この封水筒１６ａの下の排水口部１１ｄの部分の上に、表面材１２が積層されている。
【００５５】
そして、表面材１２の排水口部１１ｄ側の端部１２ｂは、排水トラップ１６が取り付けられた状態において、排水トラップ１６の構成部品の１つである締付フランジ１６ｂと干渉しない位置に配置されつつ、排水トラップ１６の構成部品の一つである封水筒１６ａによって覆い隠される。
【００５６】
具体的には、端部１２ｂは、締め付けフランジ１６ｂの縁部よりも上方の位置であって、封水筒１６ａの縁部よりも下方の位置に配置される。これにより、端部１２ｂは、封水筒１６ａによって覆われる。
【００５７】
すなわち、排水トラップ１６が取り付けられた状態において、排水トラップ１６の構成部品の１つである封水筒１６ａの外周縁が、締め付けフランジ１６ｂよりも上方に位置する排水口部１１ｄの立ち面と密接するように取り付けられ、表面材１２の排水口部１１ｄの側の端部１２ｂは、封水筒１６ａによって覆い隠される。
【００５８】
表面材１２の端部１２ｂが、排水トラップ１６の封水筒１６ｂに覆い隠されるので、表面材１２の端部１２ｂの端部処理が容易化できる。例えば、端部処理が粗くても良く、または、場合によっては端部の処理を省略できる。
【００５９】
そして、表面材１２の端部１２ｂが、排水トラップ１６の上端縁部１６ｕと干渉せず、端部１２ｂと上端縁部１６ｕとの間に間隔があけられるので、排水トラップを共通化できる。例えば、浴室洗い場床として、基材１１に表面材１２が積層されない単層床を用いた場合と、基材１１に表面材１２が積層される積層床を用いた場合と、で、排水トラップを共通化できる。
【００６０】
さらに、表面材１２から基材１１が露出しないので、基材１１となる材料への顔料の混合や各種の表面処理が省略でき、基材１１をコストダウンすることもできる。
【００６１】
このように本実施形態に係る浴室用洗い場床１０ｂによれば、排水口周りの表面材の端部の処理を容易化しつつ美観を向上させた浴室用洗い場床が提供できる。
【００６２】
そして、この場合も、表面材１２は、基材１１の洗い場床部１１ｆ及び排水口部１１ｄの形状に沿う形状に形成されており、排水トラップ１６が取り付けられた状態において、基材１１の排水口部１１ｄにおける端部１２ｂの全てが、締付フランジ１６ｂとは干渉しない排水口部１１ｄ内に位置に配置されつつ、排水トラップ１６の構成部品である封水筒１６ａによって覆い隠される。
【００６３】
このような構成にすることで、排水口部１１ｄにおいて、表面材１２と基材１１の排水口部の形状が合わせられ、例えば、基材１１と表面材１２との積層工程において、表面材１２の積層位置を位置決めすることが容易になる。
【００６４】
なお、この場合も、図１に例示した浴室用洗い場床１０と同様に、基材１１の浴槽の側に、洗い場床部１１ｆから上方に突出した土手部１３を設け、そして、表面材１２に、浴槽の側の端において床部１２ｆから上方に立ち上がった、立ち上がり部１２ｓを設けることができる。この立ち上がり部１２ｓは、表面材１２と基材１１とが積層されたときに、基材１１の土手部１３に沿うように形成され、これにより、基材１１と表面材１２とを積層する工程において、表面材１２の基材１１に対する位置決め精度をさらに向上させることができる。
【００６５】
なお、図３に例示したように、上記の浴室用洗い場床１０ｂにおいても、排水トラップ１６が取り付けられる取付部１１ｍが設けられる。取付部１１ｍは、排水トラップ１６が取り付けられる位置に対応して設けられた各種の凹凸や湾曲などを有する。この部分において、排水トラップ１６が浴室用洗い場床に取り付けられる。従って、表面材１２の排水口部１１ｄの側の端部１２ｂは、この取付部１１ｍよりも下方に配置することができる。これにより、端部１２ｂは、排水トラップ１６（具体的には封水筒１６ａ）によって覆い隠される。この構成により、表面材の仕様にかかわらず排水トラップを共通化でき、排水口周りの表面材の端部の処理を容易化しつつ美観を向上させる浴室用洗い場床を提供できる。
【００６６】
なお、上記の浴室用洗い場床１０、１０ａ及び１０ｂにおいて、例えば、基材１１と表面材１２とを個別に成型した場合は、表面材１２と基材１１とを積層したときに、これらにずれが生じる可能性がある。このときには、そのずれを吸収するために、例えば、基材１１の排水口部１１ｄの全体にコーキング剤を塗布しておき、その状態で上から表面材１２を積層する。寸法にずれがある場合は、隙間は接着剤で満たされることとなる。
【００６７】
なお、排水口部１１ｄに位置する表面材１２の垂下部１２ｄは、他の部分（例えば床部１２ｆなど）よりも薄肉とされ、ある程度の可撓性を有することがさらに好ましい。このようにすることで、排水口部１１ｄにおいて、基材１１と表面材１２とで形状誤差があった場合においても、多少の形状誤差であれば適応可能となり、実用的には問題がなくなる。
【００６８】
以上、具体例を参照しつつ、本発明の実施の形態について説明した。しかし、本発明は、これらの具体例に限定されるものではない。例えば、浴室用洗い場床を構成する、基材及び表面材などの各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００６９】
その他、本発明の実施の形態として上述した浴室用洗い場床を基にして、当業者が適宜設計変更して実施し得る全ての浴室用洗い場床も、本発明の要旨を包含する限り、本発明の範囲に属する。
【００７０】
その他、本発明の思想の範疇において、当業者であれば、各種の変更例及び修正例に想到し得るものであり、それら変更例及び修正例についても本発明の範囲に属するものと了解される。
【符号の説明】
【００７１】
１０、１０ａ、１０ｂ…洗い場床（浴室用洗い場床）、  １１…基材、  １１ｄ…排水口部、  １１ｆ…洗い場床部、  １１ｈ…下端、  １１ｍ…取付部、  １２…表面材、  １２ｂ…端部、  １２ｄ…垂下部、  １２ｆ…床部、  １２ｓ…立ち上がり部、  １３…土手部、  １６…排水トラップ、  １５…排水口、  １６…排水トラップ、  １６ａ…封水筒、  １６ｂ…締付フランジ、  １６ｃ…シールリング、  １６ｕ…上端縁部、  
１７…コーキング剤
【図１】
2010229790.tif 000003
【図２】
2010229790.tif 000004
【図３】
2010229790.tif 000005
【図４】
2010229790.tif 000006